(57)【要約】【課題】特定の状況において自動的に音の出力を制御することができること。【解決手段】リスト端末１は、姿勢判定部５２と、通信制御部５３と、を備える。姿勢判定部５２は、ユーザがスイングの準備に入ったか否かを判定する。通信制御部５３は、姿勢判定部５２によってユーザがスイングの準備に入ったと判定された場合に、設定通知／設定解除通知として通信部２１−１から出力することで、当該リスト端末１と無線通信によって接続された携帯端末２の音の出力を制御する。携帯端末２及び他の携帯端末３は、音の出力を行う出力部１９−２を備える。出力部１９−２は、姿勢判定部５２によりユーザがスイングの準備に入ったと判定されて、通信制御部７３により設定通知／設定解除通知として通信部２１−１から出力することで、音の出力の制御が行われた場合に、当該制御に応じて、当該音の出力を変更する。【選択図】図３
2015122593.tif 000002
【特許請求の範囲】
【請求項１】
携帯端末と無線通信可能であり、ユーザに装着されるリスト端末であって、
前記ユーザがスイングの準備に入ったか否かを判定する第１判定手段と、
前記第１判定手段によって前記ユーザがスイングの準備に入ったと判定された場合に、当該リスト端末と無線通信によって接続された前記携帯端末の音の出力を制御する制御手段と、
を備えたことを特徴とするリスト端末。
【請求項２】
前記リスト端末と、当該リスト端末と近距離通信可能なゴルフクラブとの間で通信が行われたか否かを判定する第２判定手段を更に備え、
前記第１判定手段は、前記第２判定手段によって前記リスト端末と前記ゴルフクラブとの間で通信が行われたと判定した場合に、前記ユーザがスイングの準備に入ったと判定すること、
を特徴とする請求項１に記載のリスト端末。
【請求項３】
端末の方向を検出する検出手段と、
前記検出手段によって所定の向きで静止したか否かを判定する第３判定手段を更に備え、
前記第１判定手段は、前記第３判定手段によって前記所定の向きで静止したと判定した場合に、前記ユーザがスイングの準備に入ったと判定すること、
を特徴とする請求項１又は２に記載のリスト端末。
【請求項４】
前記制御手段は、前記携帯端末の出力制御として、音の出力を行わない状態になるように制御する、
ことを特徴とする請求項１乃至３のいずれか１項に記載のリスト端末。
【請求項５】
ユーザに装着されるリスト端末と通信可能な携帯端末であって、
音の出力を行う出力手段を備え、
前記出力手段は、前記リスト端末から前記ユーザがスイングの準備に入ったと判定されて、前記リスト端末によって音の出力の制御が行われた場合に、当該制御に応じて、当該音の出力を変更する、
ことを特徴とする携帯端末。
【請求項６】
前記出力手段は、音の出力制御として、音の出力を行わない状態にするように制御される、
ことを特徴とする請求項５に記載の携帯端末。
【請求項７】
ユーザに装着されるリスト端末と、当該リスト端末と通信可能な携帯端末を備える出力制御システムであって、
前記リスト端末は、
前記ユーザがスイングの準備に入ったか否かを判定する判定手段と、
前記判定手段によって前記ユーザがスイングの準備に入ったと判定された場合に、当該リスト端末と近距離無線通信によって接続された前記携帯端末の音の出力を制御する制御手段と、を備え、
前記携帯端末は、
音の出力を行う出力手段を備え、
前記出力手段は、前記判定手段により前記ユーザがスイングの準備に入ったと判定されて、前記制御手段により音の出力の制御が行われた場合に、当該制御に応じて、当該音の出力を変更する、
ことを特徴とする出力制御システム。
【請求項８】
携帯端末と無線通信可能であり、ユーザに装着されるリスト端末で実行される出力制御方法あって、
前記ユーザがスイングの準備に入ったか否かを判定する判定ステップと、
前記判定ステップによって前記ユーザがスイングの準備に入ったと判定された場合に、当該リスト端末と無線通信によって接続された前記携帯端末の音の出力を制御する制御ステップと、
を含むことを特徴とする出力制御方法。
【請求項９】
携帯端末と無線通信可能であり、ユーザに装着されるリスト端末を制御するコンピュータを、
前記ユーザがスイングの準備に入ったか否かを判定する判定手段、
前記判定手段によって前記ユーザがスイングの準備に入ったと判定された場合に、当該リスト端末と無線通信によって接続された前記携帯端末の音の出力を制御する制御手段、
として機能させることを特徴とするプログラム。
【発明の詳細な説明】
【技術分野】
【０００１】
本発明は、リスト端末、携帯端末、出力制御システム、出力制御方法及びプログラムに関する。
【背景技術】
【０００２】
従来より、電話やメールを行う携帯電話等の携帯端末においては、電話やメールの発着信や操作等において音が出力される。このような携帯端末においては、音量の調節を行ったり、音声や音響（以下、単に「音」という。）の出力の有無を設定できたりするような機能がある。このような携帯端末では、例えば、音の出力を制限し、代わりにバイブレータ等の他の出力に切り換えるモード、いわゆる、マナーモードという機能がある（特許文献１を参照）。
【先行技術文献】
【特許文献】
【０００３】
【特許文献１】特開２０００−０２２７８８号公報
【発明の概要】
【発明が解決しようとする課題】
【０００４】
例えば、ゴルフの場合では、プレー中に携帯端末への着信が入ることはスイング対象者の注意がそがれるのでマナーに反するが、実際にそれが問題となるのはスイング対象者がショットのためにアドレスの姿勢になっている時に限られており、移動中等のそれ以外の場面では特に気にはされないために着信は必要とされる場合が多い。
しかしながら、上述したような音の出力を制限するマナーモード機能で、場面に応じて機能設定や解除をするにはアドレスに入るたび等必要に応じてユーザが切り替え操作を行う必要があり、煩雑すぎて実用性に乏しい。
【０００５】
本発明は、このような状況に鑑みてなされたものであり、ゴルフのスイング等の特定の状況において自動的に音の出力を制御するリスト端末、携帯端末、出力制御システム、出力制御方法及びプログラムを提供することを目的とする。
【課題を解決するための手段】
【０００６】
上記目的を達成するため、本発明の一態様のリスト端末は、
携帯端末と無線通信可能であり、ユーザに装着されるリスト端末であって、
前記ユーザがスイングの準備に入ったか否かを判定する第１判定手段と、
前記第１判定手段によって前記ユーザがスイングの準備に入ったと判定された場合に、当該リスト端末と無線通信によって接続された前記携帯端末の音の出力を制御する制御手段と、
を備えたことを特徴とする。
【発明の効果】
【０００７】
本発明によれば、例えば、ゴルフのスイング等の特定の状況において自動的に音の出力を制御することができる。
【図面の簡単な説明】
【０００８】
【図１】本発明の一実施形態に係る音声出力制御システムのシステム構成を示すシステム構成図である。
【図２】音声出力制御システムにおけるリスト端末のハードウェアの構成を示すブロック図である。
【図３】図２のリスト端末及び携帯端末の機能的構成のうち、音声出力制御を実行するための機能的構成を示す機能ブロック図である。
【図４】図３の機能的構成を有する図２のリスト端末が実行する音声出力制御の流れを説明するフローチャートである。
【図５】図３の機能的構成を有する図２の携帯端末が実行する音声出力制御の流れを説明するフローチャートである。
【発明を実施するための形態】
【０００９】
以下、本発明の実施形態について、図面を用いて説明する。
【００１０】
図１は、本発明の一実施形態に係る音声出力制御システムのシステム構成を示すシステム構成図である。なお、本例では、ユーザと他のユーザの複数人がゴルフコースをラウンドしている際に利用されることを想定して以下の説明を行う。
【００１１】
音声出力制御システムＳは、図１に示すように、ゴルフクラブ（以下、単に「クラブ」という。）ＧＣと、ユーザの腕に装着されたリスト端末１と、ユーザが所持する親機となる携帯端末２と、他のユーザが所持する子機となる他の携帯端末３、３、３・・・と、を備える。
【００１２】
音声出力制御システムＳでは、ゴルフのスイング時に、携帯端末２及び他の携帯端末３等の音を出力する機器において着信音や操作音等の音の出力を制限する、いわゆる、マナーモードに設定する機能を有する。
【００１３】
詳細には、音声出力制御システムＳでは、リスト端末１においてスイング対象者がクラブＧＣを持ちアドレスの姿勢になったことを検知して、リスト端末１から携帯端末２にマナーモードの設定を促す通知を行う。通知を受けた携帯端末２では、マナーモードに設定すると共に、他の携帯端末３にマナーモードの設定を促す通知を行うことで、ゴルフのスイング時に、着信や操作音等の音の出力を制限する。
【００１４】
クラブＧＣは、グリップ部分にリスト端末１との間でＮＦＣ（Ｎｅａｒ  Ｆｉｅｌｄ  Ｃｏｍｍｕｎｉｃａｔｉｏｎ）による近距離通信を可能にするＮＦＣチップＣＨＰと、自機の向きを検出可能なセンサ手段ＳＲ（例えば、加速度センサ等）が内蔵される。
これにより、リスト端末１において、リスト端末１との近接状態と、自機の姿勢が検出可能となる。
【００１５】
リスト端末１は、スイング対象者の腕に装着されるリストバンド型の端末装置である。リスト端末１は、クラブＧＣとの間でＮＦＣによる近距離通信及び携帯端末２とのＢｌｕｅｔｏｏｔｈ（登録商標）による近距離通信を可能に構成される。
【００１６】
また、リスト端末１は、加速度センサ等のセンサを搭載し、装置の姿勢を検出可能に構成される。
リスト端末１は、クラブＧＣとの近距離通信を行うことでリスト端末１を装着しているスイング対象者がクラブＧＣを持ったこと（詳細には、クラブＧＣを適切に持ったこと）を検出し、装置の姿勢（詳細には、所定時間維持された姿勢）を検出することで、ゴルフのスイングの開始の姿勢であるアドレスの状態を検出する。
これにより、スイングの時点のみマナーモードの設定がされ、それ以外の状態においては、マナーモードが解除される状態にすることができる。
したがって、ユーザは、アドレスの姿勢になるだけで、マナーモードの設定操作を行わずに、所持している携帯端末２と周囲にいる他の携帯端末３をマナーモードに設定することができる。
【００１７】
携帯端末２は、スマートフォン等で構成され、通話やメールを送受信する機能を有する。また、携帯端末２は、リスト端末１との間でペアリングされてＢｌｕｅｔｏｏｔｈ（登録商標）による近距離通信を行う。
【００１８】
また、携帯端末２は、リスト端末１からのマナーモードに設定する旨の通知に呼応してマナーモードに設定を行う。
【００１９】
また、携帯端末２は、登録した他の携帯端末３をマナーモードに設定する機能を有する。即ち、携帯端末２は、親機となって子機となる他の携帯端末３にマナーモードの設定にするように促す。
【００２０】
本実施形態においては、他の携帯端末３に対して、マナーモードに設定する旨の通知を行って、通知を受けた他の携帯端末３でマナーモードに設定する制御を行う。
【００２１】
他の携帯端末３は、スマートフォン等で構成され、通話やメールを送受信する機能を有する。
また、他の携帯端末３は、携帯端末２リスト端末１からのマナーモードに設定する旨の通知に呼応してマナーモードに設定を行う。
【００２２】
したがって、他の携帯端末３では、クラブＧＣのスイング時には、マナーモードに設定がされて、電話やメールの着信や端末の操作等の音の出力がなくなり、静寂状態がマナーとされるスイング時の邪魔をすることがなくなる。
【００２３】
図１は、本発明の一実施形態に係るリスト端末１のハードウェアの構成を示すブロック図である。
リスト端末１は、例えばスマートウォッチとして構成される。
【００２４】
リスト端末１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、センサ部１６と、撮像部１７と、入力部１８と、出力部１９と、記憶部２０と、通信部２１と、ドライブ２２と、を備えている。
【００２５】
ＣＰＵ１１は、ＲＯＭ１２に記録されているプログラム、又は、記憶部２０からＲＡＭ１３にロードされたプログラムに従って各種の処理を実行する。
【００２６】
ＲＡＭ１３には、ＣＰＵ１１が各種の処理を実行する上において必要なデータ等も適宜記憶される。
【００２７】
ＣＰＵ１１、ＲＯＭ１２及びＲＡＭ１３は、バス１４を介して相互に接続されている。このバス１４にはまた、入出力インターフェース１５も接続されている。入出力インターフェース１５には、センサ部１６と、撮像部１７、入力部１８、出力部１９、記憶部２０、通信部２１及びドライブ２２が接続されている。
【００２８】
センサ部１６は、Ｘ軸、Ｙ軸、Ｚ軸の３つの軸方向の夫々に生じた加速度を出力する加速度センサやジャイロセンサ等の各種センサにより構成されている。センサ部１６では、加速度センサやジャイロセンサ等の各種センサにより、少なくとも、装置の姿勢と方向を検出可能に構成される。
【００２９】
撮像部１７は、図示はしないが、光学レンズ部と、イメージセンサと、を備えている。
【００３０】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００３１】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１７の出力信号として出力される。
このような撮像部１７の出力信号を、以下、「撮像画像のデータ」と呼ぶ。撮像画像のデータは、ＣＰＵ１１や図示しない画像処理部等に適宜供給される。
【００３２】
入力部１８は、各種釦等で構成され、ユーザの指示操作に応じて各種情報を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、ＮＦＣ及びＢｌｕｅｔｏｏｔｈ（登録商標）の規格で近距離通信可能であり、インターネットを含むネットワークを介して他の装置（図示せず）との間で行う通信を制御する。
【００３３】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００３４】
また、携帯端末２及び他の携帯端末３のハードウェアの構成については、リスト端末１と同じであるため、説明を省略する。なお、以下において、リスト端末１、携帯端末２及び他の携帯端末３の各部を呼び分ける場合には、符号の末尾にリスト端末１を示す「−１」、携帯端末２を示す「−２」及び他の携帯端末３を示す「−３」の符号を付して説明を行うこととする。即ち、リスト端末１の場合には、ＣＰＵ１１−１乃至リムーバブルメディア３１−１とし、携帯端末２の場合には、ＣＰＵ１１−２乃至リムーバブルメディア３１−２とし、他の携帯端末３の場合には、ＣＰＵ１１−３乃至リムーバブルメディア３１−３として説明を行う。
【００３５】
図３は、このようなリスト端末１の機能的構成のうち、音声出力制御処理を実行するための機能的構成を示す機能ブロック図である。
音声出力制御処理とは、リスト端末１の装着者であるユーザがアドレスの姿勢になった場合に、当該アドレス状態を検出し、携帯端末２及び他の携帯端末３において音声出力を制限（マナーモードに設定）する一連の処理をいう。
リスト端末１における音声出力制御処理は、図３に示すように、リスト端末１のＣＰＵ１１−１において、近接判定部５１と、姿勢判定部５２と、通信制御部５３と、出力制御部５４と、が機能する。
【００３６】
近接判定部５１は、通信部２１−１を介して、クラブＧＣに設けられるＮＣＦチップＣＨＰが所定の範囲内にあることを検出したか否かを判定する。クラブＧＣのＮＦＣチップＣＨＰをリスト端末１での検出距離は、クラブＧＣを握った状態で検出する距離に設定され、例えば、１０ｃｍ程度で検出するように構成される。即ち、近接判定部５１はクラブＧＣを検出することで、リスト端末１の装着者であるユーザがクラブＧＣを握った状態であることを検出することになる。
【００３７】
姿勢判定部５２は、ＮＦＣチップＣＨＰを経由してセンサ手段ＳＲにおいて検出したクラブＧＣの姿勢を判定する。詳細には、姿勢判定部５２は、クラブＧＣのグリップが上方向を向いている姿勢か否かを判定する。
また、姿勢判定部５２は、近接判定部５１によるクラブＧＣの検出（詳細には、ＮＦＣチップＣＨＰ）を受けて、センサ部１６−１を介して、リスト端末１が所定の姿勢になったか否かを判定する。詳細には、姿勢判定部５２は、リスト端末１を腕に付けた状態で表示面を時計と見立てた場合に、リスト端末１の「９時−３時」方向が上下方向を向いている姿勢では、アドレスの姿勢となるため、当該姿勢が検出されたか否かを判定する。
さらに、姿勢判定部５２は、クラブＧＣのグリップが上を向いている姿勢と、アドレスの姿勢となる方向が、所定の時間維持されているか否かも判定する。即ち、姿勢判定部５２は、所定の姿勢が所定の時間維持されているか否かを判定する。
【００３８】
したがって、音出力制御システムＳにおいては、クラブＧＣの近接状態と、クラブＧＣの姿勢と、リスト端末１の姿勢と、クラブＧＣ及びリスト端末１の姿勢維持とを判定することでアドレスに似た姿勢や素振りを排除することができ、より高い精度でアドレス状態の判定を行うことができる。
【００３９】
通信制御部５３は、携帯端末２との通信を行うように通信部２１−１を制御する。具体的には、通信制御部５３は、携帯端末２との間で、各種通知の送受信を行う。
詳細には、通信制御部５３は、携帯端末２に対して、アドレス姿勢を検出したためマナーモードへの設定をする旨の通知（以下、「設定通知」という。）を送信するように通信部２１−１を制御する。
また、通信制御部５３は、携帯端末２から、携帯端末２及び他の携帯端末３においてマナーモードの設定が完了した旨の通知（以下、「設定完了通知」という。）を受信するように通信部２１−１を制御する。
また、通信制御部５３は、携帯端末２に対して、携帯端末２及び他の携帯端末３のマナーモードの設定を解除する旨の通知（以下、「設定解除通知」という。）を送信するように通信部２１−１を制御する。
また、通信制御部５３は、携帯端末２から、携帯端末２及び他の携帯端末３のマナーモードの設定の解除が完了した旨の通知（以下、「設定解除完了通知」という。）を受信するように通信部２１−１を制御する。
【００４０】
出力制御部５４は、受信した各種通知等を表示出力させるように出力部１９−１を制御する。
具体的には、出力制御部５４は、受信した設定完了通知を表示出力させるように出力部１９−１を制御する。当該表示を見たユーザは、携帯端末２及び他の携帯端末３がマナーモードの設定状態であることを知ることができる。
また、出力制御部５４は、受信した設定解除完了通知を表示出力させるように出力部１９−１を制御する。当該表示を見たユーザは、携帯端末２及び他の携帯端末３がマナーモードの設定が解除されている状態であることを知ることができる。
【００４１】
また、携帯端末２における音声出力制御処理は、図３に示すように、携帯端末２のＣＰＵ１１−２において、通信制御部７１と、出力制御部７２と、が機能する。
【００４２】
通信制御部７１は、リスト端末１及び他の携帯端末３との間で通信を行うように通信部２１−２を制御する。
具体的には、通信制御部７１は、各種通知を送受信するように通信部２１−２を制御する。
詳細には、通信制御部７１は、リスト端末１からアドレス姿勢検出通知を受信するように通信部２１−２を制御する。
また、通信制御部７１は、他の携帯端末３に対して、設定通知を送信するように通信部２１−２を制御する。
また、通信制御部７１は、他の携帯端末３から設定が完了した旨の通知（「子機設定完了通知」という。）を受信するように通信部２１−２を制御する。
また、通信制御部７１は、全ての他の携帯端末３から子機設定完了通知を受信した場合に、リスト端末１に対して、設定完了通知を送信するように通信部２１−２を制御する。
また、通信制御部７１は、リスト端末１からクラブが検出されなくなった結果、設定解除通知を受信するように通信部２１−２を制御する。
また、通信制御部７１は、他の携帯端末３に対して、設定解除通知を送信するように通信部２１−２を制御する。
また、通信制御部７１は、他の携帯端末３から設定の解除が完了した旨の通知（「子機設定解除完了通知」という。）を受信するように通信部２１−２を制御する。
また、通信制御部７１は、全ての他の携帯端末３から子機設定解除完了通知を受信した場合に、リスト端末１に対して、設定解除完了通知を送信するように通信部２１−２を制御する。
【００４３】
出力制御部７２は、着信音や操作音等の音の出力を制御して、マナーモードの設定及び設定解除を行うように出力部１９−２を制御する。
【００４４】
なお、他の携帯端末３においては、携帯端末３と機能的構成が同じであるため、説明を省略する。即ち、他の携帯端末３では、携帯端末２からの出力制御を行う旨の通知に応じて出力を制御し、出力制御が完了した旨の通知を携帯端末２に出力する機能構成を有する。
【００４５】
図４は、図３の機能的構成を有する図２のリスト端末１が実行する音声出力制御処理の流れを説明するフローチャートである。
音声出力制御処理は、ユーザによる入力部１８−１への音声出力制御処理開始の操作により開始される。
【００４６】
ステップＳ１１において、近接判定部５１は、センサ部１６−１を介してクラブの近接状態を検出したか否かを判断する。
クラブの近接状態を検出しない場合には、ステップＳ１１においてＮＯと判断されて、クラブの近接状態を検出するまで待機状態となる。
クラブの近接状態を検出した場合には、ステップＳ１１においてＹＥＳと判断されて、処理はステップＳ１２に進む。
【００４７】
ステップＳ１２において、姿勢判定部５２は、アドレス姿勢を所定時間検出したか否かを判定する。詳細には、姿勢判定部５２は、アドレス姿勢として、クラブＧＣのグリップが上を向いていること、リスト端末１がリスト端末１を腕に装着する本実施形態においては、９時−３時の方向が上下を向いている所定の方向に向いていることを、所定時間維持しているか否かを判定する。
所定時間アドレスの姿勢となっていない場合には、ステップＳ１２においてＮＯと判断されてステップＳ１１に戻る。
所定時間アドレスの姿勢となっている場合には、ステップＳ１２においてＹＥＳと判断されてステップＳ１３に進む。
【００４８】
ステップＳ１３において、通信制御部５３は、設定通知を携帯端末２に送信するように通信部２１−１を制御する。
【００４９】
ステップＳ１４において、通信制御部５３は、通信部２１−１を介して、設定完了通知を受信したか否かを判断する。
設定完了通知を受信しない場合には、ステップＳ１４においてＮＯと判断されて、設定完了通知の受信待機状態となる。
設定完了通知を受信した場合には、ステップＳ１４においてＹＥＳと判断されて、処理はステップＳ１５に進む。
【００５０】
ステップＳ１５において、出力制御部５４は、携帯端末２及び他の携帯端末３においてマナーモードに設定された旨を表示出力（設定完了表示）するように出力部１９−１を制御する。
【００５１】
ステップＳ１６において、近接判定部５１は、クラブが離れたか否か、即ち、クラブが検出されなくなったか否かを判断する。
クラブが離れていない場合には、ステップＳ１６においてＮＯとは判断されて、クラブの状態を監視し続ける。
クラブが離れた場合には、ステップＳ１６においてＹＥＳとは判断されて、処理はステップＳ１７に進む。
【００５２】
ステップＳ１７において、通信制御部５３は、設定解除通知を送信するように通信部２１を制御する。
【００５３】
ステップＳ１８において、通信制御部５３は、通信部２１−１を介して、設定解除完了通知を受信したか否かを判断する。
設定解除完了通知を受信しない場合には、ステップＳ１８においてＮＯと判断されて、設定解除完了通知の受信待機状態となる。
設定解除完了通知を受信した場合には、ステップＳ１８においてＹＥＳと判断されて、処理はステップＳ１９に進む。
【００５４】
ステップＳ１９において、出力制御部５４は、携帯端末２及び他の携帯端末３においてマナーモードが解除された旨を表示出力するように出力部１９−１を制御する。その後、音声出力制御処理は終了する。
【００５５】
図４は、図３の機能的構成を有する図１の携帯端末２が実行する音声出力制御処理の流れを説明するフローチャートである。
【００５６】
ステップＳ３１において、通信制御部７１は、通信部２１−２を介して、リスト端末１から設定通知を受信したか否かを判断する。
設定通知を受信していない場合には、ステップＳ３１においてＮＯと判断されて、設定通知の受信待機状態となる。
設定通知を受信した場合には、ステップＳ３１においてＹＥＳと判断されて、処理はステップＳ３２に進む。
【００５７】
ステップＳ３２において、通信制御部７１は、他の携帯端末３に対して、マナーモードに設定する旨の子機設定通知を送信するように通信部２１−２を制御する。
【００５８】
ステップＳ３３において、出力制御部７２は、マナーモードの設定とするため音の出力を停止するように出力部１９−２を制御する。
【００５９】
ステップＳ３４において、通信制御部７１は、全ての他の携帯端末３から子機設定完了通知を受信したか否かを判断する。
子機設定完了通知を受信しない場合には、ステップＳ３４においてＮＯと判断されて、子機設定完了通知の受信待機状態となる。
子機設定完了通知を受信した場合には、ステップＳ３４においてＹＥＳと判断されて、処理はステップＳ３５に進む。
【００６０】
ステップＳ３５において、通信制御部７１は、リスト端末１に対して、設定完了通知を送信するように通信部２１−２を制御する。
【００６１】
ステップＳ３６において、リスト端末１から設定解除通知を受信したか否かを判断する。
設定解除通知を受信していない場合には、ステップＳ３６においてＮＯと判断されて、設定解除通知の受信待機状態となる。
設定解除通知を受信した場合には、ステップＳ３６においてＹＥＳと判断されて、処理はステップＳ３７に進む。
【００６２】
ステップＳ３７において、通信制御部７１は、他の携帯端末３に対して、子機設定解除通知を送信するように通信部２１−２を制御する。
【００６３】
ステップＳ３８において、出力制御部７２は、マナーモードの設定を解除するために音の出力を再開するように出力部１９−２を制御する。
【００６４】
ステップＳ３９において、通信制御部７１は、全ての他の携帯端末３から子機設定解除完了通知を受信したか否かを判断する。
子機設定解除完了通知を受信しない場合には、ステップＳ３９においてＮＯと判断されて、子機設定解除完了通知の受信待機状態となる。
子機設定解除完了通知を受信した場合には、ステップＳ３９においてＹＥＳと判断されて、処理はステップＳ４０に進む。
【００６５】
ステップＳ４０において、通信制御部７１は、リスト端末１に対して、設定解除完了通知を送信するように通信部２１−２を制御する。その後、携帯端末２における音声出力制御処理が終了する。
【００６６】
また、他の携帯端末３において実行される音声出力制御処理では、携帯端末２からの子機設定通知に基づいて、音の出力を停止（マナーモードに設定）し、子機設定完了通知を携帯端末２に送信する処理を実行する。また、音声出力制御処理では、子機設定解除通知に基づいて、音の出力を再開（マナーモードを解除）し、子機設定解除完了通知を携帯端末２に送信する処理を実行する。
【００６７】
以上のように構成される音出力制御システムＳは、ユーザに装着されるリスト端末１と、当該リスト端末１との間で無線通信可能な携帯端末２及び他の携帯端末３と、を備える。
リスト端末１は、姿勢判定部５２と、通信制御部５３と、を備える。
姿勢判定部５２は、ユーザがスイングの準備に入ったか否かを判定する。
通信制御部５３は、姿勢判定部５２によってユーザがスイングの準備に入ったと判定された場合に、設定通知／設定解除通知として通信部２１−１から出力することで、当該リスト端末１と無線通信によって接続された携帯端末２の音の出力を制御する。
携帯端末２及び他の携帯端末３は、音の出力を行う出力部１９−２を備える。
出力部１９−２は、姿勢判定部５２によりユーザがスイングの準備に入ったと判定されて、通信制御部７３により設定通知／設定解除通知として通信部２１−１から出力することで、音の出力の制御が行われた場合に、当該制御に応じて、当該音の出力を変更する。
これにより、音出力制御システムＳにおいては、例えば、ゴルフのスイング等の特定の状況において自動的に音の出力を制御することができる。
【００６８】
また、音出力制御システムＳにおいては、リスト端末１と、当該リスト端末と無線通信可能なクラブＧＣとの間で通信が行われたか否かを判定する近接判定部５１を更に備える。
姿勢判定部５２は、近接判定部５１によってリスト端末１とクラブＧＣとの間で通信が行われたと判定した場合に、ユーザがスイングの準備に入ったと判定する。
これにより、音出力制御システムＳにおいては、クラブＧＣを握っている状態を検出することができ、クラブを持たずにスイングのフォームをしている等の場合を排除できるために、スイングの検出精度を高めることができる。
【００６９】
通信制御部５３は、携帯端末２及び他の携帯端末３の出力制御として、音の出力を行わない状態になるように制御する。
これにより、音出力制御システムＳにおいては、ゴルフのスイングにおいて音を出すことがマナー違反となるような場合に自動的に音を出さなくすることができる。
【００７０】
出力部１９−２，１９−３は、音の出力制御のとして、音の出力を行わない状態にするように制御される。
これにより、音出力制御システムＳにおいては、ゴルフのスイングにおいて音を出すことがマナー違反となるような場合に自動的に音を出さなくすることができる。
【００７１】
なお、本発明は、上述の実施形態に限定されるものではなく、本発明の目的を達成できる範囲での変形、改良等は本発明に含まれるものである。
【００７２】
上述の実施形態では、加速度センサによって所定の時間に所定の姿勢を検出することでアドレスの姿勢を検出するように構成したがこれに限られない。例えば、スイングの方向を検出して、コースのカップ方向に向かって動作をしている場合にアドレスの姿勢と判定されるように構成してもよい。
具体的には、姿勢判定部５２は、端末の方向を検出するジャイロセンサ等のセンサ部１６によって所定の向きで静止したか否かを判定する。また、姿勢判定部５２は、所定の向きで静止したと判定した場合に、ユーザがスイングの準備に入ったと判定するように構成してもよい。
また、加速度センサによる姿勢検出と、ジャイロセンサによる方向検出を組み合わせてスイングの判定を行うように構成してもよい。
【００７３】
また、上述の実施形態では、本発明が適用されるリスト端末１、携帯端末２及び他の携帯端末３は、スマートウォッチ及びスマートフォンを例として説明したが、特にこれに限定されない。
例えば、本発明は、音声出力制御処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、でデジタルカメラ、ポータブルゲーム機等に適用可能である。
【００７４】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が音出力制御システムＳに備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００７５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２０に含まれるハードディスク等で構成される。
【００７７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００７８】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７９】
以下に、本願の出願当初の特許請求の範囲に記載された発明を付記する。
［付記１］
携帯端末と無線通信可能であり、ユーザに装着されるリスト端末であって、
前記ユーザがスイングの準備に入ったか否かを判定する第１判定手段と、
前記第１判定手段によって前記ユーザがスイングの準備に入ったと判定された場合に、当該リスト端末と無線通信によって接続された前記携帯端末の音の出力を制御する制御手段と、
を備えたことを特徴とするリスト端末。
［付記２］
前記リスト端末と、当該リスト端末と近距離通信可能なゴルフクラブとの間で通信が行われたか否かを判定する第２判定手段を更に備え、
前記第１判定手段は、前記第２判定手段によって前記リスト端末と前記ゴルフクラブとの間で通信が行われたと判定した場合に、前記ユーザがスイングの準備に入ったと判定すること、
を特徴とする付記１に記載のリスト端末。
［付記３］
端末の方向を検出する検出手段と、
前記検出手段によって所定の向きで静止したか否かを判定する第３判定手段を更に備え、
前記第１判定手段は、前記第３判定手段によって前記所定の向きで静止したと判定した場合に、前記ユーザがスイングの準備に入ったと判定すること、
を特徴とする付記１又は２に記載のリスト端末。
［付記４］
前記制御手段は、前記携帯端末の出力制御として、音の出力を行わない状態になるように制御する、
ことを特徴とする付記１乃至３のいずれか１つに記載のリスト端末。
［付記５］
ユーザに装着されるリスト端末と通信可能な携帯端末であって、
音の出力を行う出力手段を備え、
前記出力手段は、前記リスト端末から前記ユーザがスイングの準備に入ったと判定されて、前記リスト端末によって音の出力の制御が行われた場合に、当該制御に応じて、当該音の出力を変更する、
ことを特徴とする携帯端末。
［付記６］
前記出力手段は、音の出力制御として、音の出力を行わない状態にするように制御される、
ことを特徴とする付記５に記載の携帯端末。
［付記７］
ユーザに装着されるリスト端末と、当該リスト端末と通信可能な携帯端末を備える出力制御システムであって、
前記リスト端末は、
前記ユーザがスイングの準備に入ったか否かを判定する判定手段と、
前記判定手段によって前記ユーザがスイングの準備に入ったと判定された場合に、当該リスト端末と近距離無線通信によって接続された前記携帯端末の音の出力を制御する制御手段と、を備え、
前記携帯端末は、
音の出力を行う出力手段を備え、
前記出力手段は、前記判定手段により前記ユーザがスイングの準備に入ったと判定されて、前記制御手段により音の出力の制御が行われた場合に、当該制御に応じて、当該音の出力を変更する、
ことを特徴とする出力制御システム。
［付記８］
携帯端末と無線通信可能であり、ユーザに装着されるリスト端末で実行される出力制御方法あって、
前記ユーザがスイングの準備に入ったか否かを判定する判定ステップと、
前記判定ステップによって前記ユーザがスイングの準備に入ったと判定された場合に、当該リスト端末と無線通信によって接続された前記携帯端末の音の出力を制御する制御ステップと、
を含むことを特徴とする出力制御方法。
［付記９］
携帯端末と無線通信可能であり、ユーザに装着されるリスト端末を制御するコンピュータを、
前記ユーザがスイングの準備に入ったか否かを判定する判定手段、
前記判定手段によって前記ユーザがスイングの準備に入ったと判定された場合に、当該リスト端末と無線通信によって接続された前記携帯端末の音の出力を制御する制御手段、
として機能させることを特徴とするプログラム。
【符号の説明】
【００８０】
１・・・リスト端末，２・・・携帯端末，３・・・他の携帯端末，１１・・・ＣＰＵ，１２・・・ＲＯＭ，１３・・・ＲＡＭ，１４・・・バス，１５・・・入出力インターフェース，１６・・・センサ部，１７・・・撮像部，１８・・・入力部，１９・・・出力部，２０・・・記憶部，２１・・・通信部，２２・・・ドライブ，３１・・・リムーバブルメディア，５１・・・近接判定部，５２・・・姿勢判定部，５３・・・通信制御部，５４・・・出力制御部，７１・・・通信制御部，７２・・・出力制御部，Ｓ・・・音出力制御システム
【図１】
2015122593.tif 000003
【図２】
2015122593.tif 000004
【図３】
2015122593.tif 000005
【図４】
2015122593.tif 000006
【図５】
2015122593.tif 000007